(57)【特許請求の範囲】
【請求項１】
制御部と、
第１の外部機器に対して信号の入力及び出力を行う信号入出力部と、
音声信号に所定の処理を施して出力する音声信号処理部と、
第２の外部機器に対して音声信号が出力される音声信号出力端子と、
メイン電源と、
補助電源と、を備え、
前記制御部は、入力された信号を前記第１の外部機器または前記第２の外部機器に出力するために、前記メイン電源に電源を供給させず、前記補助電源から前記信号入出力部に電源を供給するスタンバイスルーモードを実行する
音響処理装置であって、
前記制御部は、前記スタンバイスルーモードにおいて、前記補助電源から前記音声信号処理部にも電源を供給し、
前記音声信号処理部は、前記スタンバイスルーモードにおいて、前記信号入出力部に入力された信号から前記音声信号を抽出し、前記音声信号から高域音声成分と低域音声成分とをそれぞれ抽出し、前記高域音声成分を前記信号入出力部に出力し、前記低域音声成分を音声出力端子から出力する
ことを特徴とする音響処理装置。
【請求項２】
請求項１に記載の音響処理装置であって、
前記音声信号処理部は、
前記音声信号に音響処理を施す音響処理手段、
を備え、
前記制御部は、前記スタンバイスルーモードにおいて、前記補助電源から前記音響処理手段にも電源を供給する
ことを特徴とする音響処理装置。
【請求項３】
請求項１または請求項２に記載の音響処理装置は、
さらに、入力されたアナログ信号をデジタル信号に変換するアナログデジタル変換部を、備え、
前記制御部は、前記スタンバイスルーモードにおいて、前記補助電源から前記アナログデジタル変換部にも電源を供給し、
前記アナログデジタル変換部は、前記スタンバイスルーモードにおいて、変換したデジタル信号を前記音声信号処理部または前記信号入出力部に出力する
音響処理装置。
【請求項４】
請求項１から３のいずれかに記載の音響処理装置であって、
前記第１の外部機器は、テレビまたはコンテンツ再生装置を含み、
前記第２の外部機器は、音声信号を増幅するアンプ機能を内蔵したスピーカを含む
音響処理装置。
【請求項５】
制御部と、
第１の外部機器に対して信号の入力及び出力を行う信号入出力部と、
音声信号に所定の処理を施して出力する音声信号処理部と、
第２の外部機器に対して音声信号が出力される音声出力端子と、
メイン電源と、
補助電源と、を備え、
前記制御部は、入力された信号を前記第１の外部機器または前記第２の外部機器に出力するために、前記メイン電源に電源を供給させず、前記補助電源から前記信号入出力部に電源を供給するスタンバイスルーモードを実行する
音響処理装置であって、
前記信号入出力部は、前記第１の外部機器から前記音声信号を受信し、
前記制御部は、前記スタンバイスルーモードにおいて、前記補助電源から前記音声信号処理部にも電源を供給し、
前記音声信号処理部は、前記スタンバイスルーモードにおいて、前記信号入出力部に入力された前記音声信号から低域音声成分を抽出し、前記低域音声成分を音声出力端子から出力する
ことを特徴とする音響処理装置。
【請求項６】
請求項５に記載の音響処理装置であって、
前記信号入出力部は、ＨＤＭＩ入出力インタフェースであり、
前記ＨＤＭＩ入出力インタフェースは、前記スタンバイスルーモードにおいて、ＨＤＭＩ規格のＡＲＣを用いて、前記音声信号を入力信号として受信する
音響処理装置。
【請求項７】
前記音声信号処理部は、所定のカットオフ周波数のローパスフィルタを用いて、前記音声信号から前記低域音声成分を抽出する
請求項１乃至請求項６のいずれかに記載の音響処理装置。
【発明の詳細な説明】
【技術分野】
【０００１】
本発明は、コンテンツ信号を中継する機能を備える音響処理装置に関する。
【背景技術】
【０００２】
従来、コンテンツ再生装置（例えばＢｌｕ−Ｒａｙ  Ｄｉｓｃ（登録商標）プレーヤ）からコンテンツ信号を受け取り、当該コンテンツ信号に含まれる音声信号を増幅してスピーカセットに放音させる音響処理装置が知られている。
【０００３】
また、音響処理装置は、入力されたコンテンツ信号に含まれる映像信号を外部装置（例えばテレビ）に出力し、テレビに映像を再生させる。
【０００４】
音響処理装置は、音声信号を増幅するために、大きな消費電力（例えば数十ｗ〜数百ｗ）を必要とする。そこで、音響処理装置は、音声信号を増幅させず、テレビのみで映像及び音声を再生させるために、スタンバイスルーモードが搭載されている（特許文献１を参照。）。
【先行技術文献】
【特許文献】
【０００５】
【特許文献１】特開２０１１−１６６６８１号公報
【発明の概要】
【発明が解決しようとする課題】
【０００６】
音響処理装置に入力されたコンテンツ信号に含まれる音声信号は、スタンバイスルーモードにおいて、テレビに中継されて再生される。しかし、テレビ内蔵のスピーカは、低音の再生能力が低い場合が多い。
【０００７】
一方で、スタンバイスルーモードを解除し、音響処理装置が増幅機能を用いると、大きな電力を消費する。
【０００８】
そこで、本発明は、スタンバイスルーモードでも、音質の良い音を提供可能な音響処理装置を提供することにある。
【課題を解決するための手段】
【０００９】
本発明の音響処理装置は、制御部と、第１の外部機器に対して信号の入力及び出力を行う信号入出力部と、音声信号に所定の処理を施して出力する音声信号処理部と、第２の外部機器に対して音声信号が出力される音声信号出力端子と、メイン電源と、補助電源と、を備え、前記制御部は、入力された信号を前記第１の外部機器または前記第２の外部機器に出力するために、前記メイン電源に電源を供給させず、前記補助電源から前記信号入出力部に電源を供給するスタンバイスルーモードを実行する。
【００１０】
そして、前記制御部は、前記スタンバイスルーモードにおいて、前記補助電源から前記音声信号処理部にも電源を供給し、前記音声信号処理部は、前記スタンバイスルーモードにおいて、前記信号入出力部に入力された信号から前記音声信号を抽出し、前記音声信号から高域音声成分と低域音声成分とをそれぞれ抽出し、前記高域音声成分を前記信号入出力部に出力し、前記低域音声成分を音声出力端子から出力することを特徴とする。
【００１１】
制御部は、スタンバイスルーモードにおいて、メイン電源から、例えば、アナログ音声信号のレベルを増幅する増幅回路に電源を供給せず、信号入出力部に入力された信号、例えばＨＤＭＩ（登録商標；Ｈｉｇｈ  Ｄｅｆｉｎｉｔｉｏｎ  Ｍｕｌｔｉｍｅｄｉａ  Ｉｎｔｅｒｆａｃｅ）規格に準拠したＨＤＭＩ信号のうち映像信号を外部装置（例えばテレビ）に中継する。
【００１２】
さらに、制御部は、スタンバイスルーモードにおいて、入力されたＨＤＭＩ信号に含まれる音声信号を抽出し、高域音声成分を入出力部から例えばテレビに出力し、かつ低域音声成分を音声出力端子からアンプ機能を内蔵したスピーカ(例えばサブウーファ）に出力する。その結果、ユーザは、音響処理装置の消費電力の大半を占める増幅回路をメイン電源で駆動せずに、すなわち、音響処理装置の消費電力を抑えつつ、迫力ある低音と共にコンテンツをテレビで試聴することができる。ただし、音声出力端子からの音声信号を受信する装置は、サブウーファに限らず、自装置で音声信号を増幅・放音するものであればよい。
【００１３】
また、前記音声信号処理部は、前記音声信号に音響処理を施す音響処理手段、を備え、前記制御部は、前記スタンバイスルーモードにおいて、前記補助電源から前記音響処理手段にも電源を供給することを特徴とする。
【００１４】
音響処理手段は、スタンバイスルーモードにおいても、音響効果（例えば周波数補正や、テレビとサブウーファとの再生同期ズレの補正のために音声信号を遅延させる処理や、所定の音量レベル範囲に補正するダイナミックレンジ処理や、仮想音源生成などの音場処理）を与えるために音声信号に音響処理を施す。音響処理された音声信号は、信号入出力部および音声出力端子から出力される。その結果、ユーザは、音響処理装置の消費電力を抑えつつ、様々な音響効果を与えた音を、例えばテレビのスピーカやサブウーファに再生させることができる。
【００１５】
また、本発明の音響処理装置は、さらに、入力されたアナログ信号をデジタル信号に変換するアナログデジタル変換部を、備え、前記制御部は、前記スタンバイスルーモードにおいて、前記補助電源から前記アナログデジタル変換部にも電源を供給し、前記アナログデジタル変換部は、前記スタンバイスルーモードにおいて、変換したデジタル信号を前記音声信号処理部または前記信号入出力部に出力することを特徴とする。
【００１６】
アナログデジタル変換部は、スタンバイスルーモードにおいても、例えばコンテンツ再生機器（例えばＡＶプレーヤ）からのアナログビデオ信号をＨＤＭＩ信号に変換する。変換されたＨＤＭＩ信号に含まれる音声信号の高域音声成分は、テレビに出力され、同時に音声信号の低域音声成分は、サブウーファに出力される。よって、ユーザは、音響処理装置の消費電力を抑えつつ、アナログ映像のコンテンツを試聴することができる。
【００１７】
また、前記信号入出力部は、前記第１の外部機器から前記音声信号を受信し、前記制御部は、前記スタンバイスルーモードにおいて、前記補助電源から前記音声信号処理部にも電源を供給し、前記音声信号処理部は、前記スタンバイスルーモードにおいて、前記信号入出力部に入力された前記音声信号から低域音声成分を抽出し、前記低域音声成分を音声出力端子から出力することも可能である。
【００１８】
信号入出力部は、例えばテレビにＨＤＭＩ信号を出力していないときであっても、当該テレビとの接続に用いられたＨＤＭＩケーブルのＡＲＣ（；Ａｕｄｉｏ  Ｒｅｔｕｒｎ  Ｃｈａｎｎｅｌ）を通じて、音声信号を受け取る。その結果、ユーザは、例えばテレビ放送の音声信号の低域音声成分をサブウーファに増幅・放音させることにより、スタンバイスルーモードにおいても、迫力ある低音でテレビの放送コンテンツを試聴することができる。
【００１９】
また、前記信号処理部は、所定のカットオフ周波数のローパスフィルタを用いて、前記音声信号から低域音声成分を抽出する。
【００２０】
音響処理装置は、入力された音声信号に低域音声成分のチャネルがなくても、他のチャネルの音声信号から低域音声成分をローパスフィルタで抽出して生成することができる。
【発明の効果】
【００２１】
本発明の音響処理装置によれば、スタンバイスルーモードでも、音質の良い音を実現できる。
【図面の簡単な説明】
【００２２】
【図１】ＡＶアンプ１の室内設置環境およびブロック図である。
【図２】ＡＶアンプ１のスタンバイスルーモードにおける信号線を示す図である。
【図３】変形例に係るＡＶアンプ１Ａの使用環境およびブロック図である。
【図４】ＡＶアンプ１Ａのスタンバイスルーモードにおける信号線を示す図である。
【発明を実施するための形態】
【００２３】
図１（Ａ）は、本実施形態に係るＡＶアンプ１の室内設置環境を示す図である。ＡＶアンプ１は、図１（Ａ）に示すように、テレビ２、２台のスピーカ３Ａおよびスピーカ３Ｂ、サブウーファ４、およびＢＤプレーヤ５（ＢＤ；Ｂｌｕ−Ｒａｙ  Ｄｉｓｃ）に接続されている。ＡＶアンプ１は、テレビ２およびＢＤプレーヤ５と、ＨＤＭＩケーブルによって接続されている。ＡＶアンプ１は、スピーカ３Ａおよびスピーカ３Ｂと、スピーカケーブルによって接続されている。ＡＶアンプ１は、サブウーファ４と、ラインケーブルにより接続されている。
【００２４】
ＡＶアンプ１は、ＢＤプレーヤ５から送られるコンテンツ信号（本発明の信号に相当する。）を、テレビ２で映像再生させたり、スピーカ３Ａ、スピーカ３Ｂおよびサブウーファ４で音声再生させたりして、コンテンツ再生装置からの信号を中継する。なお、実際のＡＶアンプ１は、スピーカ３Ａおよびスピーカ３Ｂ以外にも、リアスピーカ等に接続される場合もあるが、本実施形態では、説明は省略する。また、ＡＶアンプ１は、ＢＤプレーヤ５以外のコンテンツ再生装置からコンテンツ信号を受信する場合もあるが、本実施形態では説明は省略する。
【００２５】
図１（Ｂ）は、ＡＶアンプ１およびその他装置のブロック図である。
【００２６】
ＡＶアンプ１は、マイコン１０（本発明の制御部に相当する。）、ユーザＩ／Ｆ１００、アンプ部１１、電源入力部１２、補助電源回路１３（本発明の補助電源に相当する。）、ＨＤＭＩ処理部１４（本発明の信号入出力部に相当する。）、および音声信号処理部１５からなる。アンプ部１１は、電源回路１１０（本発明のメイン電源に相当する。）および増幅回路１１１からなる。ＨＤＭＩ処理部１４は、ＨＤＭＩ入力部１４０およびＨＤＭＩ出力部１４１からなる。音声信号処理部１５は、ＤＳＰ／ＤＡＣ１５０（ＤＳＰ；Ｄｉｇｉｔａｌ  Ｓｉｇｎａｌ  Ｐｒｏｃｅｓｓｏｒ、ＤＡＣ；Ｄｉｇｉｔａｌ  Ａｕｄｉｏ  Ｃｏｎｖｅｒｔｅｒ、本発明の音声信号処理部に相当する。）、およびサブウーファプリアウト１５１（本発明の音声出力端子に相当する。）からなる。
【００２７】
図１（Ｂ）において、破線は、マイコン１０からの制御経路を示し、実線は、コンテンツ信号（ＨＤＭＩ信号および音声信号の両方を含む。）の経路を示し、二重線は、電源供給経路を示す。
【００２８】
図１（Ｂ）に示すように、マイコン１０は、各機能部を統括的に制御する。ユーザＩ／Ｆ１００は、リモコンやＡＶアンプ１前面の操作ボタンで受け付けたユーザからの操作指示をマイコン１０に伝える。補助電源回路１３は、交流電源が電源入力部１２から入力されると、直流電源に変換する。変換された直流電源は、図１（Ｂ）に示すように、ＨＤＭＩ処理部１４および音声信号処理部１５に供給される。電源回路１１０は、電源入力部１２から電源が供給されると、増幅回路１１１に直流電源を供給する。増幅回路１１１は、入力された音声信号を増幅し、各スピーカ３に出力する。
【００２９】
ＨＤＭＩ入力部１４０は、図１（Ｂ）に示すように、ＢＤプレーヤ５に備えられるＨＤＭＩ出力部５０からＨＤＭＩに準拠した信号であるＨＤＭＩ信号を受け取る。さらに、ＨＤＭＩ入力部１４０は、入力されたＨＤＭＩ信号をＨＤＭＩ出力部１４１に出力したり、ＨＤＭＩ信号に含まれる音声信号をＤＳＰ／ＤＡＣ１５０に出力したりする。
【００３０】
サブウーファプリアウト１５１は、入力された音声信号を増幅せずに、サブウーファ４に出力する出力インタフェースである。
【００３１】
ＨＤＭＩ出力部１４１は、ＨＤＭＩ入力部１４０から出力されるＨＤＭＩ信号に含まれる映像信号、または、ＤＳＰ／ＤＡＣ１５０から出力される音声信号をＨＤＭＩ信号としてテレビ２のＨＤＭＩ入力部２０に送る。また、ＨＤＭＩ処理部１４（ＨＤＭＩ出力部１４１）は、テレビ２のＨＤＭＩ入力部２０から音声信号を受け取ることもできる。
【００３２】
ＤＳＰ／ＤＡＣ１５０は、入力された音声信号に所定の信号処理を施す機能部である。ＤＳＰ／ＤＡＣ１５０は、例えば、ユーザＩ／Ｆ１００で受け付けたカットオフ周波数を基に、音声信号をフィルタ処理する。音声信号は、ＤＳＰ／ＤＡＣ１５０のフィルタ処理により、低域成分からなる音声信号と低域以外の成分からなる音声信号に分割される。ただし、カットオフ周波数は、ユーザ入力に限らず、マイコン１０またはＤＳＰ／ＤＡＣ１５０にあらかじめ記憶されていてもよい。
【００３３】
また、ＤＳＰ／ＤＡＣ１５０は、デジタル音声信号をアナログ音声信号に変換し、アンプ部１１またはサブウーファプリアウト１５１に出力する。
【００３４】
本発明に係るＡＶアンプ１のスタンバイスルーモードの説明をする前に、ＡＶアンプ１の通常動作モードについて、ＢＤのコンテンツを再生する例を用いて説明する。ＡＶアンプ１は、筐体前面に設けられたスイッチが押下されると（オンとなると）、通常動作モードとなる。電源回路１１０は、通常動作モードになると、電源入力部１２からの電源供給を受ける。ＢＤプレーヤ５において、ＢＤに記録されたコンテンツのＨＤＭＩ信号は、ＨＤＭＩ出力部５０から出力される。ＨＤＭＩ出力部５０から出力されたＨＤＭＩ信号は、ＨＤＭＩ入力部１４０に入力される。マイコン１０は、ＨＤＭＩ信号がＨＤＭＩ入力部１４０に入力されると、ＨＤＭＩ信号に含まれる映像信号をＨＤＭＩ出力部１４１に、当該ＨＤＭＩ信号に含まれる音声信号をＤＳＰ／ＤＡＣ１５０に、それぞれ出力するように、ＨＤＭＩ入力部１４０を制御する。
【００３５】
ＤＳＰ／ＤＡＣ１５０に入力された音声信号は、フィルタ処理により、低域成分からなる音声信号と、低域以外の成分からなる音声信号に分割される。
【００３６】
低域成分からなる音声信号は、ＤＳＰ／ＤＡＣ１５０によりアナログ音声信号に変換され、サブウーファプリアウト１５１に向けて出力される。サブウーファプリアウト１５１から出力された当該信号は、サブウーファ４の内蔵パワーアンプで増幅されて放音される。
【００３７】
低域以外の成分からなる音声信号は、ＤＳＰ／ＤＡＣ１５０によりアナログ音声信号に変換され、アンプ部１１に向けて出力される。アンプ部１１に入力された当該音声信号は、増幅回路１１１で増幅される。その後、増幅された音声信号は、スピーカ３Ａおよびスピーカ３Ｂに出力されて放音される。
【００３８】
ＨＤＭＩ出力部１４１に入力されたＨＤＭＩ信号（映像信号のみ）は、テレビ２のＨＤＭＩ入力部２０に向けて出力される。ＨＤＭＩ入力部２０に入力されたＨＤＭＩ信号は、テレビ２により表示再生される。
【００３９】
なお、ＤＳＰ／ＤＡＣ１５０から出力される音声信号は、スピーカ３Ａ、スピーカ３Ｂおよびサブウーファ４に出力されるだけでなく、ＨＤＭＩ信号としてテレビ２に出力されても構わない。
【００４０】
従来技術のスタンバイスルーモードでは、アンプ装置は、増幅回路用のメイン電源（電源回路１１０）をオフとし、かつスルー用にサブ電源（補助電源回路１３）をオンとする。そして、アンプ装置は、従来技術のスタンバイスルーモードにおいて、入力されたＨＤＭＩ信号を、ＤＳＰを介さずにテレビ２に送り、テレビ２の内蔵スピーカのみに再生させる。
【００４１】
そこで、本発明に係るＡＶアンプ１は、スタンバイスルーモードにおいてサブ電源（補助電源回路１３）の供給範囲を拡張し、メイン電源（電源回路１１０）をオフとしたまま他の機器（サブウーファ４）から音を出力させることで、テレビ２の内蔵スピーカのみで再生するときより音を良くする。以下、ＡＶアンプ１のスタンバイスルーモードの動作について、ＢＤのコンテンツを再生する例を用いて説明する。図２（Ａ）は、ＡＶアンプ１のスタンバイスルーモードにおける信号線をブロック図上で示す図である。
【００４２】
ＡＶアンプ１は、筐体前面のスイッチがオフとなると、スタンバイスルーモードに切り替わる。電源回路１１０は、スタンバイスルーモードになると、マイコン１０の指令により、内部の電源入力側のリレー（図示せず）をオフすることで電源の供給を受けない。ＨＤＭＩ処理部１４および音声信号処理部１５は、スタンバイスルーモードでも、補助電源回路１３から直流電源の供給を受ける。ただし、スタンバイスルーモードに切り替えるトリガは、スイッチに限らない。マイコン１０がユーザＩ／Ｆ１００で受け付けた操作指示に基づき、電源回路１１０への電源供給を停止する態様であっても構わない。また、テレビ２からのＨＤＭＩ  ＣＥＣ（；Ｃｏｎｓｕｍｅｒ  Ｅｌｅｃｔｒｏｎｉｃｓ  Ｃｏｎｔｒｏｌ）コマンドが電源供給を停止する態様であっても構わない。
【００４３】
ＨＤＭＩ出力部５０から出力されたＨＤＭＩ信号は、ＨＤＭＩ処理部１４（ＨＤＭＩ入力部１４０）に入力される。マイコン１０は、ＨＤＭＩ信号がＨＤＭＩ入力部１４０に入力されると、通常動作モードと同様に、ＨＤＭＩ信号に含まれる映像信号をＨＤＭＩ出力部１４１に、当該ＨＤＭＩ信号に含まれる音声信号をＤＳＰ／ＤＡＣ１５０に、それぞれ出力するように、ＨＤＭＩ入力部１４０を制御する。
【００４４】
ＤＳＰ／ＤＡＣ１５０に入力された音声信号は、フィルタ処理により、低域成分からなる音声信号と、低域以外の成分からなる音声信号に分割される。
【００４５】
低域成分からなる音声信号は、ＤＳＰ／ＤＡＣ１５０によりアナログ音声信号に変換され、ＤＳＰ／ＤＡＣ１５０からサブウーファプリアウト１５１に向けて出力される。サブウーファプリアウト１５１から出力された当該信号は、サブウーファ４の内蔵パワーアンプで増幅されて放音される。
【００４６】
低域以外の成分からなる音声信号は、ＤＳＰ／ＤＡＣ１５０からＨＤＭＩ出力部１４１に向けて出力される。ＤＳＰ／ＤＡＣ１５０からＨＤＭＩ出力部１４１に出力された音声信号は、映像信号からなるＨＤＭＩ信号と共に、テレビ２のＨＤＭＩ入力部２０に入力される。その後、テレビ２は、ＨＤＭＩ入力部２０に入力されたＨＤＭＩ信号に基づき、自装置で映像・音声再生する。
【００４７】
以上のように、ＡＶアンプ１は、大きな消費電力を必要とするアンプ部１１を動作させずに、ＢＤのコンテンツをテレビ２およびサブウーファ４で再生させる。その結果、ＡＶアンプ１は、テレビ２の内蔵スピーカでは出せない迫力のある低音を提供することができる。よって、ユーザは、ＡＶアンプ１の消費電力を抑えつつ、迫力のある良い音でＢＤのコンテンツを試聴することができる。
【００４８】
また、ＤＳＰ／ＤＡＣ１５０は、スタンバイスルーモードで、入力された音声信号に対し、音響効果を与えるために信号処理をすることもできる。ＤＳＰ／ＤＡＣ１５０は、例えば、周波数補正（イコライズ）や、テレビ２での映像再生とサブウーファ４（またはテレビ２の内蔵スピーカ）での音声再生との同期ズレ補正のため音声信号を遅延させる処理や、所定の音量レベル範囲に補正するダイナミックレンジ処理や、仮想音源生成などの音場処理を行う。これらの信号処理内容は、ＡＶアンプ１のユーザＩ／Ｆ１００を通じたユーザの設定に基づいて設定される。よって、ユーザは、ＡＶアンプ１の消費電力を抑えつつ、音響効果が与えられた良い音でＢＤのコンテンツを試聴することができる。
【００４９】
また、ＤＳＰ／ＤＡＣ１５０は、動作モードに応じて、低域成分抽出のカットオフ周波数を変更する。例えば、ＡＶアンプ１は、カットオフ周波数を動作モード毎に記憶する。そして、ＡＶアンプ１は、通常動作モードでは、スピーカ３Ａおよびスピーカ３Ｂの再生周波数帯域に応じたカットオフ周波数を使用し、スタンバイスルーモードに切り替えると、カットオフ周波数を変更する。例えば、ＡＶアンプ１は、低域の出力が弱いテレビ２の内蔵スピーカを補助するように、カットオフ周波数を高くしてサブウーファ４に放音させることができる。
【００５０】
ただし、ＤＳＰ／ＤＡＣ１５０の音響効果を与える処理は、本発明の必須の構成ではない。マイコン１０は、音響効果を与える処理を行わない場合、低域と低域以外の成分を抽出するフィルタ処理だけ働くように、補助電源回路１３からＤＳＰ／ＤＡＣ１５０に電源を供給する。
【００５１】
また、上の例ではサブウーファ４を用いているが、自装置で音声信号を増幅するアクティブスピーカであればサブウーファ４に限らない。
【００５２】
また、ＡＶアンプ１は、マルチチャネルの音声信号を受け取る態様であっても構わない。この場合、ＤＳＰ／ＤＡＣ１５０は、ＬＦＥ（；ＬＯＷ‐ＦＲＥＱＵＥＮＣＹ  ＥＦＦＥＣＴ）チャネルの音声信号以外のマルチチャンネル音声信号をダウンミックスして２チャンネル信号を生成する。このダウンミックス信号をフィルタ処理して低域成分を取り出し、ＬＦＥチャンネルの音声信号に加えてサブウーファプリアウト１５１に出力する。ＤＳＰ／ＤＡＣ１５０のフィルタ処理によって抽出された低域以外の成分は、ＨＤＭＩ出力部１４１からＴＶに出力される。
【００５３】
次に、ＡＶアンプ１がスタンバイスルーモードでテレビ放送の音声信号を再生させる例について説明する。図２（Ｂ）は、ＡＶアンプ１のスタンバイスルーモードにおける、テレビ放送の音声信号の流れをブロック図上で示す図である。
【００５４】
ＨＤＭＩ規格は、音声信号をＨＤＭＩの入力インタフェースからＨＤＭＩの出力インタフェースに向けて、出力するＡＲＣ（；Ａｕｄｉｏ  Ｒｅｔｕｒｎ  Ｃｈａｎｎｅｌ）機能を備えている。
【００５５】
テレビ２のＨＤＭＩ入力部２０から出力された音声信号は、ＡＲＣ機能により、ＨＤＭＩケーブルを通じて、ＨＤＭＩ処理部１４（ＨＤＭＩ出力部１４１）に入力される。当該音声信号は、ＤＳＰ／ＤＡＣ１５０に出力される。そして、当該音声信号は、ＤＳＰ／ＤＡＣ１５０によりフィルタ処理されて低域成分からなる信号となる。そして、当該フィルタ処理された信号は、ＤＳＰ／ＤＡＣ１５０によりアナログ音声信号に変換される。当該アナログ音声信号は、ＤＳＰ／ＤＡＣ１５０から、サブウーファプリアウト１５１を介して、サブウーファ４に出力される。
【００５６】
以上のように、ＡＶアンプ１がテレビ２の音声信号に基づいてサブウーファ４に放音させるため、ユーザは、ＡＶアンプ１の消費電力を抑えつつ、迫力のある良い音でテレビ放送のコンテンツを試聴することができる。
【００５７】
なお、ＤＳＰ／ＤＡＣ１５０は、サブウーファプリアウト１５１に出力される音声信号に音響効果を与えることもできる。また、テレビ２の音声信号を受信する手段は、ＨＤＭＩ規格のＡＲＣ機能に限らず、光ケーブルで受信する態様であっても構わない。
【００５８】
また、ＤＳＰ／ＤＡＣ１５０におけるローパスフィルタのカットオフ周波数は、ＨＤＭＩ  ＣＥＣコマンドで取得したテレビ２の内蔵スピーカの再生周波数特性に基づいて、求められる態様であっても構わない。この場合、まず、マイコン１０は、内蔵スピーカの再生周波数帯域を、テレビ２にＨＤＭＩ  ＣＥＣコマンドで問い合わせる。次に、テレビ２は、内蔵スピーカの再生周波数帯域を、ＡＶアンプ１にＨＤＭＩ  ＣＥＣコマンドで返信する。そして、マイコン１０は、取得したテレビ２の内蔵スピーカの再生周波数帯域より低い周波数帯域をサブウーファ４に再生させるようにカットオフ周波数を求める。その結果、サブウーファ４から放音される低音は、テレビ２の内蔵スピーカから放音される低音と重複しない。
【００５９】
次に、図３は、変形例に係るＡＶアンプ１Ａの室内設置環境およびブロック図を示す図である。図１に示すＡＶアンプ１と重複する構成について、説明は省略する。
【００６０】
ＡＶアンプ１Ａは、図３（Ａ）に示すように、ビデオプレーヤ６およびオーディオプレーヤ７に接続される。ビデオプレーヤ６は、磁気テープに記憶された映像及び音声を再生する。オーディオプレーヤ７は、音楽データを再生する。ＡＶアンプ１Ａは、ビデオプレーヤ６とＳ映像ケーブルおよび２本のステレオ音声ケーブルにより接続される。ＡＶアンプ１Ａは、オーディオプレーヤ７と光デジタルケーブルにより接続される。
【００６１】
図３（Ｂ）は、ＡＶアンプ１Ａおよびその他の装置のブロック図を示す図である。
【００６２】
ＡＶアンプ１Ａは、Ａ／Ｄ変換を行うＡ／Ｄ変換部１６が設けられる点、およびオーディオプレーヤ７のデジタル音声出力部７０から出力される光信号がＤＳＰ／ＤＡＣ１５０のデジタル音声入力部１５０ａに入力される点において、図１（Ｂ）に示すＡＶアンプ１のブロック図と異なる。
【００６３】
Ａ／Ｄ変換部１６およびデジタル音声入力部１５０ａは、図３（Ｂ）に示すように、スタンバイスルーモードにおいて、補助電源回路１３から直流電源の供給を受ける。
【００６４】
Ａ／Ｄ変換部１６は、入力されたアナログ音声信号をデジタル信号に変換する。また、Ａ／Ｄ変換部１６は、入力されたアナログの映像信号をＨＤＭＩ規格に適合するようにＨＤＭＩ信号に変換（アップコンバート）する。ＤＳＰ／ＤＡＣ１５０のデジタル音声入力部１５０ａは、入力された光信号を音声信号に変換する。
【００６５】
ビデオプレーヤ６のビデオ信号出力部６０は、アナログのビデオ信号および音声信号を出力する。オーディオプレーヤ７のデジタル音声出力部７０は、オーディオプレーヤ７で再生する音楽データの音声信号を光信号に変換して出力する。
【００６６】
まず、ＡＶアンプ１Ａのスタンバイスルーモードについて、ビデオプレーヤ６のコンテンツを再生する例を用いて説明する。
【００６７】
ビデオプレーヤ６のビデオ信号出力部６０から出力されたアナログの映像信号は、ＨＤＭＩ信号に変換される。ビデオプレーヤ６のビデオ信号出力部６０から出力されたアナログの音声信号は、デジタル音声信号に変換される。
【００６８】
変換されたＨＤＭＩ信号は、Ａ／Ｄ変換部１６からＨＤＭＩ処理部１４に出力される。そして、ＨＤＭＩ処理部１４に入力されたＨＤＭＩ信号は、テレビ２のＨＤＭＩ入力部２０に出力される。
【００６９】
Ａ／Ｄ変換部１６により変換されたデジタル音声信号は、ＤＳＰ／ＤＡＣ１５０に出力される。当該デジタル音声信号は、ＡＶアンプ１のスタンバイスルーモードにおけるＢＤのコンテンツの再生例と同様に、テレビ２の内蔵スピーカおよびサブウーファ４に出力される。
【００７０】
以上のように、ＡＶアンプ１Ａは、スタンバイスルーモードにおいて、ビデオプレーヤ６からのアナログ信号をＨＤＭＩ信号に変換して、テレビ２に表示再生させつつ、音声信号の低域をサブウーファ４に音声再生させる。
【００７１】
なお、Ａ／Ｄ変換部１６は、ユーザＩ／Ｆ１００で受け付けたユーザの選択操作に基づき、複数のコンテンツ再生装置からそれぞれ出力されるアナログ信号のうち、いずれかを選択してＨＤＭＩ信号／デジタル音声信号に変換することもできる。この場合、ユーザは、ＡＶアンプ１Ａの消費電力を抑えつつ、試聴したいコンテンツ再生装置の信号に切り替えることができる。
【００７２】
また、接続される装置は、ビデオプレーヤ６に限らない。例えば、接続される装置は、ＤＶＤプレーヤであってもよい。さらに、接続するためのケーブルは、Ｓ映像ケーブルに限らず、例えばコンポジットケーブルで接続される態様であっても構わない。
【００７３】
次に、ＡＶアンプ１Ａのスタンバイスルーモードにおけるオーディオプレーヤ７の音楽データの再生例を説明する。
【００７４】
オーディオプレーヤ７のデジタル音声出力部７０から出力された光信号は、ＤＳＰ／ＤＡＣ１５０のデジタル音声入力部１５０ａに入力される。デジタル音声入力部１５０ａに入力された光信号は、デジタル音声入力部１５０ａにより、音声信号に変換される。
【００７５】
ＤＳＰ／ＤＡＣ１５０に入力された音声信号は、ＡＶアンプ１のスタンバイスルーモードにおけるＢＤのコンテンツの再生例と同様に、テレビ２の内蔵スピーカおよびサブウーファ４に出力される。
【００７６】
以上のように、ＡＶアンプ１Ａは、音声のみを再生させる機器に接続される場合でも、消費電力が少ない状態で、迫力のある良い音を提供することができる。
【００７７】
なお、オーディ―プレーヤ７は、光デジタルケーブルに限らず、例えば同軸ケーブルで接続される態様であっても構わない。
【００７８】
また、ＡＶアンプ１Ａは、図４に示すように、サブウーファプリアウト１５１に音声信号を出力せず、テレビ２の内蔵スピーカに放音させる音声信号のみ出力する態様であっても構わない。この場合、ＤＳＰ／ＤＡＣ１５０は、フィルタ処理を行わず、音声信号をＨＤＭＩ処理部１４に出力する。ユーザは、この場合でも、ＡＶアンプ１Ａの消費電力を抑えつつ、ＤＳＰ／ＤＡＣ１５０によって音響効果が与えられた音でビデオプレーヤ６およびオーディオプレーヤ７のコンテンツをテレビ２で試聴することができる。
【符号の説明】
【００７９】
１…ＡＶアンプ
２…テレビ
３…スピーカ
４…サブウーファ
５…ＢＤプレーヤ
６…ビデオプレーヤ
７…オーディオプレーヤ
１０…マイコン
１１…アンプ部
１２…電源入力部
１３…補助電源回路
１４…ＨＤＭＩ処理部
１５…音声信号処理部
１６…Ａ／Ｄ変換部
２０…ＨＤＭＩ入力部
５０…ＨＤＭＩ出力部
６０…ビデオ信号出力部
７０…デジタル音声出力部
１１０…電源回路
１１１…増幅回路
１４０…ＨＤＭＩ入力部
１４１…ＨＤＭＩ出力部
１５０…ＤＳＰ／ＤＡＣ
１５０ａ…デジタル音声入力部
１５１…サブウーファプリアウト
【図１】
0005578229.tif 000002
【図２】
0005578229.tif 000003
【図３】
0005578229.tif 000004
【図４】
0005578229.tif 000005